(57)【要約】【課題】太い線状の鮮明な発光状態となるようにする。【解決手段】放電用ガスをガラス板２；３とガラス接着剤２１とで囲まれた平面状の密閉空間に封入し、ガラス板２の外面に２種類の放電用電極４;１２をガラス板２の外面と平行する方向に位置をずらして設け、ガラス板３の外面に２種類の放電用電極４;１２をガラス板２の放電用電極４;１２と前後方向に対向して設け、ガラス板２；３における２種類の放電用電極４;１２に直流又は交流の高周波電圧を印加すると、放電用ガス２２によるプラズマ化により放電用電極４の単独部分６乃至９と放電用電極１２の単独部分１３乃至１６との間に太い線状に橋渡しされる鮮明な発光状態となる。その発光状態は、放電用電極４の単独部分６乃至９と放電用電極１２の単独部分１３乃至１６とがガラス板２；３における放電用電極４；１２の設けられた板面と平行な方向に位置をずらした幅を有する太い線状となる。【選択図】図１
2012228303.tif 000002
【特許請求の範囲】
【請求項１】
放電用ガスが２枚のガラス板とそれら２枚のガラス板を互いに接合するガラス接着剤とで囲まれた平面状の密閉空間に封入され、２枚のガラス板のうちの一方のガラス板の外面としての一板面には２種類の放電用電極が当該ガラス板の一板面と平行な方向に位置をずらして設けられ、２枚のガラス板のうちの他方のガラス板の外面としての一板面には２種類の放電用電極が前記一方のガラス板における２種類の放電用電極と前後方向に対向して設けられたことを特徴とするプラズマパネル。
【請求項２】
放電用電極が透明電極で構成されたことを特徴とする請求項１記載のプラズマパネル。
【請求項３】
プラズマパネルの駆動回路が２枚のガラス板における２種類の放電用電極に直流又は交流の高周波電圧を印加する高周波電圧回路を備え、高周波電圧回路の入力部にはスイッチと直流電源とが直列に接続されたことを特徴とする請求項１記載のプラズマパネル。
【請求項４】
請求項１乃至請求項３のうちの１つの請求項に記載されたプラズマパネルを用いたことを特徴とする遊技機。
【請求項５】
遊技機がパチンコ機又はスロットマシンであることを特徴とする請求項５記載の遊技機。
【発明の詳細な説明】
【技術分野】
【０００１】
本発明は、鮮明な発光状態となるプラズマパネル及び当該プラズマディスプレイを備えた遊技機に関する。
【背景技術】
【０００２】
図１０を参照し、特許文献１の段落００３８乃至段落００３９、段落０１１０乃至段落０１１１及び図９で開示されたプラズマパネル９５を備えた遊技機としてのストッロマシーンについて説明する。図１０において、ストッロマシーンの筐体９１の前面には前面パネル９２が設けられ、筐体９１の内部には複数のリール９３が横並びに配置され、各リール９３の表面には複数の図柄が表記されている。リール９３ごとに設けられた図外のモータが互いに独立して駆動することにより、各リール９３が別々に回転するようになっている。前面パネル９２には複数の透視領域部９４が各リール９３に対応して横並びに設けられ、筐体９１よりも前側に居る遊技者が各透視領域部９４を通して各リール９３の図柄を視認できるようになっている。また、透視領域部９４よりも上方の筐体９１の前面にはプラズマパネル９５が設けられる。プラズマパネル９５は、前面から見た形が方形な透明容器９６の内部の密閉空間に、ネオン、アルゴン、キセノンを混合したガスのような放電用ガスと放電用電極９７とを封入し、透明容器９６の外表面には複数の接地用電極９８が各リール９３に対応して横並びに設けられる。そして、図外の高電圧発生回から放電用電極９７に電圧を印加した状態において、図外の放電態様切換スイッチを切り換えて複数の接地用電極９８のいずれかを図外の接地ラインに接続することにより、放電用ガスのプラズマによる放電光を放電用電極９７から接地ラインに接続された接地用電極９８に向かう経路に集約するようにしたものである。しかしながら、放電用ガスのプラズマによる放電光が放電用電極９７から密閉空間を経由して接地用電極９８に向かう細い線状となる構造であるので、プラズマパネル９５が昼間の屋外や照明の明るい店内に設置するのに不向きであるという欠点がある。
【先行技術文献】
【特許文献】
【０００３】
【特許文献１】特開２００４−１６７０９８号公報
【発明の概要】
【発明が解決しようとする課題】
【０００４】
本発明は、上記背景技術に鑑みてなされたものであり、放電用ガスのプラズマによる放電光がガラスの板面に沿う方向に幅のある太い線状となる鮮明な発光状態となることを目的とする。
【課題を解決するための手段】
【０００５】
本発明は、放電用ガスが２枚のガラス板とそれら２枚のガラス板を互いに接合するガラス接着剤とで囲まれた平面状の密閉空間に封入され、２枚のガラス板のうちの一方のガラス板の外面としての一板面には２種類の放電用電極が当該ガラス板の一板面と平行な方向に位置をずらして設けられ、２枚のガラス板のうちの他方のガラス板の外面としての一板面には２種類の放電用電極が前記一方のガラス板における２種類の放電用電極と前後方向に対向して設けられたことを特徴とする。
【発明の効果】
【０００６】
本発明は、２枚のガラス板における２種類の放電用電極に直流又は交流の高周波電圧を印加すると、２種類の放電用電極が２枚のガラス板における放電用電極の設けられた一板面と平行な方向に位置をずらした幅を有する太い線状の鮮明な発光状態になり、昼間の屋外や照明の明るい店内に設置するに適切であるという効果を奏する。
【図面の簡単な説明】
【０００７】
【図１】Ａ図は実施形態１のプラズマパネルを示す分解斜視図、Ｂ図は実施形態１のプラズマパネル及びそれの駆動回路を示す模式図。
【図２】図１のＢ図に示す３０−３０線断面図。
【図３】実施形態２のプラズマパネル及びそれの駆動回路を示す模式図。
【図４】実施形態３のプラズマパネルを備えたパチンコ機を示す斜視図。
【図５】実施形態３のパネルユニットを示す分解斜視図。
【図６】実施形態３のパネルユニットを示す分解縦断面図。
【図７】実施形態３のパネルユニットを示す縦断面図。
【図８】実施形態４のプラズマパネルの消灯したスロットマシンを示す正面図。
【図９】実施形態４のプラズマパネルの点灯したスロットマシンを示す正面図。
【図１０】従来のプラズマパネルを備えたスロットマシンを示す正面図。
【発明を実施するための形態】
【０００８】
本明細書における「前」、「後」、「左」、「右」、「上」、「下」の方向は、図４の状態に遊技機を置いて矢印Ｓで示す前側から見た場合に特定される方向である。
【０００９】
「実施形態１」
図１及び図２を参照し、実施形態１に係るプラズマパネル１について説明する。図１のＡ図に示すように、プラズマパネル１は２枚のガラス板２；３を備える。ガラス板２；３は、図示した方形以外のアーチ形又は円形又は楕円形又は三角形又は五角形以上の多角形であってもよい。一方のガラス板２の外面としての一板面には、２種類の放電用電極４；１２がガラス板２の一板面と平行な方向に位置をずらして設けられる。他方のガラス板３の外面としての一板面には、２種類の放電用電極４；１２が一方のガラス板２における２種類の放電用電極４；１２と前後方向に対向して設けられる。
【００１０】
放電用電極４；１２は、プラズマパネル１の透視性を保つように、透明電極により構成される。放電用電極４；１２の材料としては、電気抵抗が低くパターン加工の容易な、インジウムとスズの酸化物であるＩＴＯ（Ｉｎｄｉｕｍ−ｔｉｎ−ｏｘｉｄｅ）あるいは亜鉛酸化物であるＺｎＯ（Ｚｉｎｃ−ｏｘｉｄｅ）を用いることが考えられる。放電用電極４は、横方向に直線的に延びる共通部分５と、共通部分５の中央部から斜め外側に放射状に延びる単独部分６；７；８；９と、共通部分５の両端に形成された端子部分１０；１１とを備える。放電用電極１２は、ガラス板２の中央部から斜め外側に放射状に個別に延びる単独部分１３；１４；１５；１６と、単独部分１３乃至１６のそれぞれの外端に形成された端子部分１７；１８；１９；２０とを備える。
【００１１】
また、ガラス板２；３のそれぞれにおいて、放電用電極４の単独部分６乃至９と放電用電極１２の単独部分１３乃至１６とが前後方向に対向しないようにガラス板２；３における放電用電極４；１２の設けられた一板面と平行な方向に位置をずらして配置され、放電用電極４の共通部分５の中央部が放電用電極１２の単独部分１３乃至１６の内端の側の分離された部分に前後方向に対向して配置されている。
【００１２】
ガラス板２の内面を構成する一板面の周辺部又はガラス板３の内面を構成する一板面の周辺部には、無機材料又は高分子材料からなるガラス接着剤２１がガラス板２の外縁に沿って線条に設けられる。プラズマパネル１が製造される場合、ガラス接着剤２１が内側となるように、２枚のガラス板２；３がそれらの間に空間を設けて平行に向かい合わせられてガラス接着剤２１により接合される。これにより、図１のＢ図に示すように、ガラス板２における放電用電極４；１２とガラス板３における放電用電極４；１２とが前後方向に対向して配置される。
【００１３】
また、２枚のガラス板２；３がそれらの間に空間を設けて平行に向かい合わせられてガラス接着剤２１により接合されることにより、図２に示すように、２枚のガラス板２；３とガラス接着剤２１とで囲まれた平面状の密閉空間が形成される。この密閉空間から空気が抜き取れた後、密閉空間にはキセノンガス又はネオンガス又はアルゴンガスのような放電用ガス２２が封入される。これにより、プラズマパネル１が図１のＢ図に示すような正面視形状を有するように構成される。正面視形状は、ガラス板２の放電用電極４；１２の形成された外面の側からプラズマパネル１を見た形状である。
【００１４】
一方、図１のＢ図に示すように、プラズマパネル１の駆動回路２３は、放電用電極１２の単独部分１３乃至１６と同じ個数の直流又は交流の高周波電圧回路２４；２５；２６；２７を備える。高周波電圧回路２４の出力部が放電用電極４の端子部分１０と放電用電極１２の端子部分１７とに接続され、高周波電圧回路２５の出力部が放電用電極４の端子部分１０と放電用電極１２の端子部分１８とに接続され、高周波電圧回路２６の出力部が放電用電極４の端子部分１１と放電用電極１２の端子部分１９とに接続され、高周波電圧回路２７の出力部が放電用電極４の端子部分１１と放電用電極１２の端子部分２０とに接続される。また、高周波電圧回路２４乃至２７の入力部には、スイッチ２８と直流電源２９とが直列に接続される。
【００１５】
そして、スイッチが閉じられると、直流電源２９から例えば１２ボルトの直流電圧が高周波電圧回路２４乃至２７に供給され、高周波電圧回路２４乃至２７が例えば３０００ボルトの直流又は交流の高周波電圧が放電用電極４の端子部分１０；１１と放電用電極１２の端子部分１７乃至２０とに印加され、放電用電極４の単独部分６乃至９と放電用電極１２の単独部分１３乃至１６とが放電光を発光する。
【００１６】
実施形態１の場合、図１のＢ図に仮想線Ｌ１；Ｌ２；Ｌ３；Ｌ４で囲まれた部分における放電用ガス２２、つまり、放電用電極４の単独部分６乃至９と放電用電極１２の単独部分１３乃至１６との間における放電用ガス２２が電離してプラズマを作り、このプラズマ状態のガスが導体となり、電気が放電用電極４の単独部分６乃至９と放電用電極１２の単独部分１３乃至１６とに上記プラズマ状態のガスを経由して流れるときに、電子がプラズマ状態のガスの分子やイオンにぶつかって放電用電極４の単独部分６乃至９と放電用電極１２の単独部分１３乃至１６との間に太い線状に橋渡しされる鮮明な発光状態となる。その発光状態は、放電用電極４の単独部分６乃至９と放電用電極１２の単独部分１３乃至１６とがガラス板２；３における放電用電極４；１２の設けられた板面と平行な方向に位置をずらした幅を有する太い線状となり、ガラス板２；３の放電用電極４；１２の形成された外面の側からプラズマパネル１を見た場合にＸ字形を表現する。２種類の放電用電極４；１２による発光状態の形状は、仮想線Ｌ１乃至Ｌ４で示すＸ字形に限定されるものではなく、２種類の放電用電極４；１２が一つの平面内で短絡をしないような配置で表現できる形であればよい。なお、放電用ガス２２がネオンガスを主成分とした場合、発光状態がオレンジ色になる。また、図１のＢ図において、複数のスイッチ２８を各高周波電圧回路２４乃至２７の入力部と直流電源２９との間に設けることにより、放電用電極４の単独部分６乃至９と放電用電極１２の単独部分１３乃至１６とからなる発光状態を複数の組み合わせに切り替えるようにしてもよい。例えば、１つのスイッチ２８を図１のＢ図に示す位置に設け、高周波電圧回路２５の入力部を上記１つのスイッチ２８から直流電源２９に接続替えを行い、その接続替えを行った部分に図外の１つのスイッチを挿入し、上記１つのスイッチ２８が閉じられかつ図外の１つのスイッチが開かれると、図１のＢ図における共通部分５よりも上方における単独部分６；１３との組み合わせ及び単独部分９；１６との組み合わせが発光状態となりかつ図１のＢ図における共通部分５よりも下方における単独部分７；１４との組み合わせ及び単独部分８；１５との組み合わせが非光状態となり、また、上記１つのスイッチ２８が開かれかつ図外の１つのスイッチが閉じられると、図１のＢ図における共通部分５よりも上方における単独部分６；１３との組み合わせ及び単独部分９；１６との組み合わせが非発光状態となりかつ図１のＢ図における共通部分５よりも下方における単独部分７；１４との組み合わせ及び単独部分８；１５との組み合わせが非光状態となるというように、制御することが可能である。また、スイッチ２８を３個又は４個設けて、単独部分６乃至９と放電用電極１２の単独部分１３乃至１６とからなる発光状態と非発光状態との組み合わせを制御することも可能である。
【００１７】
「実施形態２」
図３を参照し、実施形態２に係るプラズマパネル１について説明する。図３では図２と機能が同じ部分には同一符号を付して重複説明を省略する。図３に示すプラズマパネル１は、放電用電極４の単独部分６乃至９と放電用電極１２の単独部分１３乃至１６とが、ガラス板２；３における放電用電極４；１２の設けられた板面と平行な方向に位置をずらした隙間を有して平行な状態を保ちつつ階段状に蛇行する波型になっている。よって、実施形態２では、プラズマパネル１の発光状態が稲妻状になる。
【００１８】
「実施形態３」
図４を参照し、実施形態３に係るプラズマパネル１を使用した遊技機としてパチンコ機を例示して説明する。図４では図１乃至図３と機能が同じ部分には同一符号を付して重複説明を省略する。パチンコ機の枠体３１は、固定枠３２を備える。固定枠３２は、遊技店の遊技機設置構造体に取り付けられるものであって、前面から見られた場合、縦長な四角形の前後方向に貫通する空間を囲む形状である。固定枠３２の前部には、可動枠３３が左側に位置するヒンジ３４を中心とし固定枠３２の前部で前方に開かれかつ後方に閉じられるように開閉可能に設けられる。可動枠３３には、球発射機構３５、賞球通路３６、図外のタンク、図外の球払出機構が設けられる。
【００１９】
可動枠３３の前上部には、上扉３７が左側に位置する図外のヒンジを中心とし可動枠３３の前部で前方に開かれかつ後方に閉じられるように開閉可能に設けられる。上扉３７には、窓と呼ばれる扉開口部３８、パネルユニット３９、図外の光表示部品、図外の音響装置などが設けられる。パネルユニット３９には、プラズマパネル１、高周波電圧回路２４乃至２７、前側透明体４０、後側透明体４１が設けられる。高周波電圧回路２４乃至２７の入力部は、ハーネス４２で図外の制御装置に設けられたスイッチ２８に接続される。スイッチ２８は、図外の制御装置のＣＰＵを含む制御部で開閉される。スイッチ２８を開閉する図外の制御装置は、可動枠３３又は遊技盤５１の後部に設けられる。
【００２０】
可動枠３３の前下部には、下扉４３が左側に位置する図外のヒンジを中心とし可動枠３３の前部で前方に開かれかつ後方に閉じられるように開閉可能に設けられる。下扉４３には、球受皿４４、球発射操作機構４５、賞球排出口４６、発射球供給口４７、図外の光表示部品、図外の音響装置などが設けられる。上扉３７と下扉４３とが前扉として一体に構成されてもよい。
【００２１】
可動枠３３の内部には、遊技盤５１が交換可能に装着される。遊技盤５１の前面には、ガイドレール５２が設けられる。ガイドレール５２で囲まれた遊技盤５１の前面における遊技領域には、球発射通路５３、戻り防止弁５４、跳ね返し部材５５、アウト口５６、遊技釘５７、一般入賞部品５８、始動入賞部品５９、可変入賞部品６０、センター飾り６１、図外の光表示部品などが設けられる。
【００２２】
センター飾り６１の中央部には、透明な保護パネル６２が設けられる。センター飾り６１の後部には、図柄表示器６３が配置される。図柄表示器６３は、センター飾り６１又は遊技盤５１に取り付けられる。図柄表示器６３としては、電気的に画像又は図柄を表示する液晶表示器のような平面状の表示器、或いは、図柄を表示するリール表示器のような回胴式の表示器が挙げられる。遊技盤５１の後部には図外の制御装置が設けられる。
【００２３】
遊技盤５１が可動枠３３に装着され、可動枠３３が閉じられて固定枠３２に開閉不能に施錠され、上扉３７及び下扉４３が閉じられて可動枠３３に開閉不能に施錠されることにより、パチンコ機が構成される。つまり、パチンコ機では、遊技盤５１が枠体３１の内部に格納され、上扉３７及びパネルユニット３９が遊技盤５１の前側を覆い、遊技盤５１の遊技領域が枠体３１の前側から扉開口部３８と前側透明体４０とプラズマパネル１及び後側透明体４１を通して視認することができる。
【００２４】
パチンコ機において、遊技者が球受皿４４にパチンコ球と呼ばれる球を入れ、遊技者が球発射操作機構４５を操作すると、球発射操作機構４５の操作量に応じた電気的な出力が可動枠３３の後部に設けられた図外の制御装置に入力され、その制御装置が球発射操作機構４５の操作量に応じた発射力で駆動するように球発射機構３５を制御し、球発射機構３５が球受皿４４から発射球供給口４７を経由して枠体３１の内部に取り込まれた球を１個ずつ球発射通路５３に向けて発射する。球発射通路５３に発射された球は、球発射通路５３から戻り防止弁５４を押し開けて遊技盤５１の遊技領域の上部に到達する。
【００２５】
遊技領域に到達した球は、遊技領域を流下する過程において、跳ね返し部材５５又は遊技釘５７又は一般入賞部品５８又は始動入賞部品５９などに衝突して、流れる方向を変えながら、一般入賞部品５８又は始動入賞部品５９に入賞して遊技盤５１の後側に排出される。一般入賞部品５８又は始動入賞部品５９に対応して設けられた図外の球検出器が一般入賞部品５８又は始動入賞部品５９に入賞した球を検出した電気的な出力を遊技盤５１の後部に設けられた図外の制御装置に出力する。
【００２６】
すると、図外の制御装置が一般入賞又は始動入賞に対応する処理を実行して電気的な出力を遊技盤５１の後部に設けられた図外の制御装置又は可動枠３３の後部に設けられた図外の制御装置に出力する。この可動枠３３の後部に設けられた図外の制御装置が一般入賞又は始動入賞に対応する賞球数のパチンコ球と呼ばれる球を払い出すように球払出機構を制御し、球払出機構が可動枠３３の後部に設けられた図外のタンクの球を払い出し、この払い出された球が賞球通路３６及び賞球排出口４６を経由して球受皿４４に払い出される。
【００２７】
なお、一般入賞部品５８や始動入賞部品５９に入賞した球は、遊技盤５１の後側に排出される。また、遊技領域の最下部に到達した球は、アウト口５６から遊技盤５１の後側に排出される。これら遊技盤５１の後側に排出された球は、遊技への使用を終了したアウト球と呼ばれる球としてパチンコ機から遊技機設置構造体の球回収機構に排出される。球回収機構に集められた球は、球回収機構から遊技機設置構造体の球補給機構に送られる。球補給機構に送られた球は、球補給機構からパチンコ機のタンクに供給される。
【００２８】
前記始動入賞部品５９に対応する図外の球検出器から球を検出した電気的な出力が図外の制御装置に入力された場合、当該制御装置がコンピュータによる内部抽選と呼ばれる当たり外れを決める抽選を実行して抽選結果に対応する電気的な出力を別の図外の制御装置に出力する。すると、当該別の制御装置が入力された抽選結果に対応する電気的な出力に基づき図柄表示器６３とプラズマパネル１と光表示部品及び音響部品を制御し、図柄表示器６３とプラズマパネル１と光表示部品及び音響部品が遊技に対する演出を視聴覚可能に表示する。
【００２９】
上記抽選結果として当たりが抽選されている場合、図柄や画像による演出終了後に図外の制御装置が図柄表示器６３又は図外の確定図柄表示器を制御し、図柄表示器６３又は図外の確定図柄表示器が抽選での当たりの確定を遊技者に知らせるために当たり図柄を表示する。この当たり図柄の確定の表示後、図外の制御装置が可変入賞部品６０を制御し、可変入賞部品６０が入賞口を開閉する当たり遊技を実行する。この当たり遊技の実行に伴い、遊技領域を流下する球が可変入賞部品６０に入賞し易くなる。例えば、上記当たり図柄の確定の表示前又は当たり図柄の確定の表示と同時又は当たり図柄の確定の表示後又は変入賞部品６０による当たり遊技の実行時に、図外の制御装置がプラズマパネル１の図１のＢ図又は図３に示すスイッチ２８を制御する。これによって、プラズマパネル１が図１のＢ図又は図３に仮想線Ｌ１乃至Ｌ４で示すＸ字形の発光状態となって遊技の演出を行うことができる。このプラズマパネル１による遊技の演出は、上記の当たり以外の演出も考えられる。
【００３０】
そして、図４に戻り、遊技領域を流下する球が可変入賞部品６０に入賞すると、可変入賞部品６０に対応して設けられた図外の球検出器が可変入賞部品６０に入賞した球を検出した電気的な出力を図外の制御装置に出力し、当該制御装置が可変入賞に対応する処理を実行して電気的な出力を図外の制御装置に出力し、当該制御装置が可変入賞に対応する賞球数のパチンコ球と呼ばれる球を払い出すように球払出機構を制御し、球払出機構が駆動して球が可動枠３３の後部に設けられたタンクから球受皿４４に払い出される。よって、可変入賞部品６０への球の入賞により短時間に大量の賞球される可能性が発生する。
【００３１】
なお、プラズマパネル１は図１のＢ図又は図３に仮想線Ｌ１乃至Ｌ４で囲まれた部分の太い線状となるので、プラズマパネル１は店内照明の明るい遊技店に設置されるパチンコ機やストットマシン等の遊技機への使用に適している。
【００３２】
図５乃至図７を参照し、パネルユニット３９について説明する。図５乃至図７では図１乃至図４と機能が同じ部分には同一符号を付して重複説明を省略する。図５において、パネルユニット３９は、プラズマパネル１と前側透明体４０と後側透明体４１とフレーム６５とを備える。前側透明体４０及び後側透明体４１は、図１の扉開口部３８を塞ぐ大きさの板状の無色透明な強化ガラス又は合成樹脂で構成される。プラズマパネル１は、図２及び図３に示す構造になっている。
【００３３】
図５において、フレーム６５には、高周波電圧回路２４乃至２７が設けられる。高周波電圧回路２４乃至２７は、回路基板にトランスや各種の電気部品が実装され、高周波電圧回路２４乃至２７の入力部に接続されたハーネス４２から供給される直流電圧を直流又は交流の高周波電圧に変換するものである。そして、プラズマパネル１がフレーム６５に装着される場合、高周波電圧回路２４乃至２７の出力部が放電用電極４の端子部分１０；１１と放電用電極１２の端子部分１７乃至２０とに接続される。つまり、プラズマパネル１がフレーム本体６６の中収容部６９に装着されることにより、高周波電圧回路２４乃至２７と端子部分１０；１１；１７乃至２０とが互いに接続されるようになっている。この接続の態様は、図１のＢ図又は図３を参照下さい。
【００３４】
図６において、フレーム６５は、合成樹脂又は金属により、フレーム本体６６、フレーム開口部６７、前収容部６８、中収容部６９、後収容部７０、間隔支持部７１；７２を備える。フレーム本体６６は、前側透明体４０及びプラズマパネル１よりも大形な外形の板状である。フレーム開口部６７は、図１に示す扉開口部３８よりも大きな形で前後方向への貫通孔として、フレーム本体６６に設けられる。
【００３５】
図６に示すように、前収容部６８は、前側透明体４０を装着する部分として、フレーム本体６６の前面とフレーム開口部６７とに開口し、フレーム本体６６の前面から内部への窪みとして、フレーム本体６６に設けられる。前側透明体４０がフレーム６５の前側からフレーム開口部６７の前側を塞ぐようにフレーム６５に装着されることによって、前側透明体４０の周縁部が前収容部６８に嵌め込まれて固定される。この場合、前側透明体４０の周縁部が前収容部６８に接着剤で結合される場合もある。
【００３６】
中収容部６９は、プラズマパネル１を装着する部分として、前収容部６８と後収容部７０との間に位置し、フレーム開口部６７からフレーム本体６６の外周方向の内部への窪みとして、フレーム本体６６に設けられる。プラズマパネル１がフレーム６５の前側又は後側からフレーム開口部６７を塞ぐようにフレーム６５に装着されることによって、プラズマパネル１の周縁部が中収容部６９に嵌め込まれて固定される。この場合、プラズマパネル１の周縁部が中収容部６９に接着剤で結合される場合もある。
【００３７】
後収容部７０は、後側透明体４１を装着する部分として、フレーム本体６６の後面とフレーム開口部６７とに開口し、フレーム本体６６の後面から内部への窪みとして、フレーム本体６６に設けられる。後側透明体４１がフレーム６５の後側からフレーム開口部６７を塞ぐようにフレーム６５に装着されることによって、後側透明体４１の周縁部が後収容部７０に嵌め込まれて固定される。この場合、後側透明体４１の周縁部が後収容部７０に接着剤で接合される場合もある。
【００３８】
間隔支持部７１は、フレーム開口部６７を縁取るように囲み、前収容部６８の外周部と中収容部６９の外周部からフレーム開口部６７の中央部の方向に突出する突条に構成される。間隔支持部７２は、フレーム開口部６７を縁取るように囲み、中収容部６９の外周部と後収容部７０の外周部からフレーム開口部６７の中央部の方向に突出する突条に構成される。
【００３９】
そして、図７に示すように、前側透明体４０が前収容部６８に固定され、プラズマパネル１が中収容部６９に固定され、後側透明体４１が後収容部７０に固定されることにより、間隔支持部７１がプラズマパネル１と前側透明体４０との前後方向の隙間を一様に保持し、間隔支持部７２がプラズマパネル１と後側透明体４１との前後方向の隙間を一様に保持する。このように間隔支持部７１；７２により、パネルユニット３９が前側透明体４０と後側透明体４１とから離れることにより、パネルユニット３９のガラス板２；３が損傷を受けることがないという利点がある。
【００４０】
また、パネルユニット３９よりも前側には上扉３７が配置され、パネルユニット３９よりも後側には遊技盤５１が配置された状態において、遊技者が矢印Ｓで示す前側から扉開口部３８を見ると、遊技盤５１の遊技領域を扉開口部３８から前側透明体４０とプラズマパネル１及び後側透明体４１を通して視認することができる。また、プラズマパネル１の放電用電極４；１２が透明電極で構成されているので、上記遊技者が図柄表示器６３に表示される図柄や画像を放電用電極４；１２で邪魔されることなく枠体３１の前側から扉開口部３８と前側透明体４０とプラズマパネル１及び後側透明体４１を通して適切に視認することができる。なお、間隔支持部７２を除去し、プラズマパネル１のガラス板３における放電用電極４；１２を後側透明体４１の前面に接触させてもよい。このようにガラス板３の放電用電極４；１２を後側透明体４１の前面に接触させた場合、間隔支持部７２を除去した前後方向の寸法だけパネルユニット３９の前後方向の厚さを薄くすることができる。
【００４１】
「実施形態４」
図８及び図９を参照し、実施形態４の遊技機としてスロットマシンを例示して説明する。図８において、スロットマシンの筐体８１は、ボックス本体８２を備える。ボックス本体８２は、遊技店の遊技機設置構造体に取り付けられるものであって、前面を開口した縦長な前側から後側に奥行きの有る箱形に構成される。ボックス本体８２の内部には、複数のリール８３が横並びに配置され、各リール８３の表面には複数の図柄が表記されている。リール８３ごとに設けられた図外のモータが互いに独立して駆動することにより、各リール８３が別々に回転するようになっている。リール８３はドラムであってもよい。ボックス本体８２の前部には、前扉８４が左側に位置する図外のヒンジを中心としボックス本体８２の前部で前方に開かれかつ後方に閉じられるように開閉可能に設けられる。前扉８４には開口部８５が設けられる。開口部８５には、図６乃至図７に示すパネルユニット３９に類似する構造のパネルユニット３９が設けられる。
【００４２】
実施形態４のパネルユニット３９のプラズマパネル１における放電用電極４；１２の配列形状が実施形態１乃至実施形態３と異なり、スロットマシンに対応したものになっている。例えば、図８に示すように、プラズマパネル１が消灯された場合、プラズマパネル１は、筐体８１よりも前側に居る遊技者に各リール６４の図柄を視認させるための透視領域部８６を区分する縁取り８７を表示する。縁取り８７で囲まれた内側は、透明になっている。
【００４３】
プラズマパネル１が消灯された場合であっても、プラズマパネル１の２種類の放電用電極４；１２は物として存在し、プラズマパネル１を凝視すれば、放電用電極４；１２も見えるので、図８に図示すべきであるが、図８ではプラズマパネル１が消灯された態様を注目して表現したので、図８からは放電用電極４；１２の図示を省略してある。プラズマパネル１の縁取り８７よりも外側部分は、その部分を通して筐体８１の内部が遊技者から見えないように、例えば、黒色層や黒色被膜などの保護膜８８で目隠しされている。保護膜８８は、図９に示す放電用電極４；１２による放電光の発光した状態を遊技者から見えるようにするために、例えば、放電用電極４；１２よりも後側すなわちボックス本体８２の側におけるプラズマパネル１又は後側透明体４１に設けられる。プラズマパネル１又は後側透明体４１は、図５乃至図７を参照下さい。
【００４４】
図９に示すように、プラズマパネル１が点灯された場合、２種類の放電用電極４；１２が符号Ｌ１乃至Ｌ４で示すＸ字形を表現するような発光状態となる。図９の符号Ｌ１乃至Ｌ４は図１のＢ図における仮想線Ｌ１乃至Ｌ４で囲まれた部分と同義語である。２種類の放電用電極４；１２による発光状態の形状は、符号Ｌ１乃至Ｌ４で示すＸ字形に限定されるものではなく、２種類の放電用電極４；１２が一つの平面内で短絡をしないような配置で表現できる形であればよい。なお、プラズマパネル１は、筐体８１に収容された図外のプラズマパネル１の図１のＢ図又は図３に示すスイッチ２８を制御する。これによって、プラズマパネル１が上記のようなＸ字形の発光状態となって遊技の演出を行うことができる。
【符号の説明】
【００４５】
１はプラズマパネル、２；３はガラス板、４は放電用電極、５は共通部分、６乃至９は単独部分、１０；１１は端子部分、１２は放電用電極、１３乃至１６は単独部分、１７乃至２０は端子部分、２１はガラス接着剤、２２は放電用ガス、２３は駆動回路、２４乃至２７は高周波電圧回路、２８はスイッチ、２９は直流電源、３０は欠番、３１は枠体、３２は固定枠、３３は可動枠、３４はヒンジ、３５は球発射機構、３６は賞球通路、３７は上扉、３８は扉開口部、３９はパネルユニット、４０は前側透明体、４１は後側透明体、４２はハーネス、４３は下扉、４４は球受皿、４５は球発射操作機構、４６は賞球排出口、４７は発射球供給口、４８乃至５０は欠番、５１は遊技盤、５２はガイドレール、５３は球発射通路、５４は戻り防止弁、５５は跳ね返し部材、５６はアウト口、５７は遊技釘、５８は一般入賞部品、５９は始動入賞部品、６０は可変入賞部品、６１はセンター飾り、６２は保護パネル、６３は図柄表示器、６４は各リール、６５はフレーム、６６はフレーム本体、６７はフレーム開口部、６８は前収容部、６９は中収容部、７０は後収容部、７１；７２は間隔支持部、７３乃至８０は欠番、８１は筐体、８２はボックス本体、８３はリール、８４は前扉、８５は開口部、８６は透視領域部、８７は縁取り、８８は保護膜、８９は欠番、９０は欠番、９１は筐体、９２は前面パネル、９３はリール、９４は透視領域部、９５はプラズマパネル、９６は透明容器、９７は放電用電極、９８は接地用電極。
【図１】
2012228303.tif 000003
【図２】
2012228303.tif 000004
【図３】
2012228303.tif 000005
【図４】
2012228303.tif 000006
【図５】
2012228303.tif 000007
【図６】
2012228303.tif 000008
【図７】
2012228303.tif 000009
【図８】
2012228303.tif 000010
【図９】
2012228303.tif 000011
【図１０】
2012228303.tif 000012